(57)【要約】【課題】ネットワーク障害の発生に応じた非課金処理によって通話確立中の呼が切断されてしまった場合、一般的に、移動通信端末のユーザは再発呼をする可能性が高い。これにより、一時的なトラフィックの上昇を招き、ネットワーク負荷が増大したり、ネットワーク上の各装置のＣＰＵ使用率が大幅に増加したりすることによって、ネットワークがダウンするという深刻な状況を引き起こす恐れがあった。【解決手段】ユーザデータを制御するユーザ情報制御手段と、接続制御を行うための制御情報を制御する制御情報管理手段と、を有するゲートウェイ装置であって、ユーザ情報制御手段にてネットワーク障害を検出して制御情報管理手段に通知し、制御情報管理手段はネットワーク障害の通知に応じて外部の装置等に非課金信号を送信する。【選択図】  図２
2010245941.tif 000002
【特許請求の範囲】
【請求項１】
ユーザ端末間において音声データを制御するユーザ情報制御手段と、ユーザ端末間の呼接続の確立や切断を行う制御信号を転送する制御情報管理手段と、を有するゲートウェイ装置であって、
前記ユーザ情報制御手段は、
前記通信ネットワークにおける通信障害を検出して前記制御情報管理手段に通知し、
前記制御情報管理手段は、
前記障害通知手段による通知に応じて、非課金処理を実行することを示す非課金信号を送信する
ことを特徴とするゲートウェイ装置。
【請求項２】
前記ユーザ情報制御手段は、
さらに、前記通信障害が解消されたことを検出して前記制御情報管理手段に通知し、
前記制御情報管理手段は、
さらに、前記障害回復通知手段による通知に応じて、課金処理を開始することを示す課金信号を送信する
ことを特徴とする請求項１に記載のゲートウェイ装置。
【請求項３】
前記課金信号は、課金時間をリセットするための課金時間リセット信号であることを特徴とする請求項２に記載のゲートウェイ装置。
【請求項４】
ユーザ端末間において音声データを制御するユーザ情報制御手段と、ユーザ端末間の呼接続の確立や切断を行う制御信号を転送する制御情報管理手段と、を有するゲートウェイ装置と、前記通信ネットワークにおける通信に対する課金に関する処理を行うサービス提供装置と、からなる非課金処理システムであって、
前記ゲートウェイ装置の前記ユーザ情報制御手段は、
前記通信ネットワークにおける通信障害を検出して前記制御情報管理手段に通知し、
前記ゲートウェイ装置の前記制御情報管理手段は、
前記障害通知手段による通知に応じて、非課金処理を実行することを示す非課金信号を送信し、
前記サービス提供装置は、
前記ゲートウェイ装置から送信される非課金信号に基づいて、非課金処理を実行することを特徴とする非課金処理システム。
【請求項５】
ユーザ端末間において音声データを制御するユーザ情報制御手段と、ユーザ端末間の呼接続の確立や切断を行う制御信号を転送する制御情報管理手段と、を有するゲートウェイ装置により実行される非課金処理方法であって、
前記ユーザ情報制御手段において、前記通信ネットワークにおける通信障害を検出して前記制御情報管理手段に通知する障害通知ステップと、
前記制御情報管理手段において、前記障害通知ステップによる通知に応じて、非課金処理を実行することを示す非課金信号を送信する非課金信号送信ステップと、
を有する非課金処理方法。
【発明の詳細な説明】
【技術分野】
【０００１】
本発明は、通信ネットワークの非課金処理方法に関する。
【背景技術】
【０００２】
従来の通信ネットワークにおける課金処理においては、通信ネットワーク上の課金処理装置が通話時間に見合った課金指数を算出して明細情報を生成し、この明細情報を明細装置へ転送することで、ユーザの通話に対して課金するという方法が採られている。
本来、課金処理はユーザの通話が正常に完了した場合に実施されるべきものであるので、通信ネットワーク上にて障害が発生したことにより通信ネットワークを正常に利用できなかった場合には、非課金処理が行われる。具体的には、ネットワーク障害発生時にＲＴＣＰ（RTP Control Protocol）の無通信監視制御機能によってネットワーク障害が検出され、通信ネットワーク装置間で非課金信号を送信することにより非課金処理が行われる。ここで、「非課金処理」とは、具体的には、課金処理を中止又は取り消す処理等が該当する。
【０００３】
ところで、従来の非課金処理においては、ユーザの通話確立時に回線を占有するために、Ｕ−Ｐｌａｎｅ（User data Plane）ルートに何らかの障害が発生した場合、ユーザの
通話は切断されて非課金処理が実行される（例えば、特許文献１）。この点について、図７及び図８を用いて説明する。なお、Ｕ−Ｐｌａｎｅはユーザ端末間において音声データを制御する機能であり、後出するＣ−Ｐｌａｎｅ（Control Plane）は呼接続の確立や切
断を行う制御信号を転送する機能である。
【０００４】
図７において、移動通信端末Ａ７０１は発信側の移動通信端末であり、移動通信端末Ｂ７０２は着信側の移動通信端末である。移動通信端末Ａ７０１と移動通信端末Ｂ７０２との通信は、通信ネットワーク７１０内の回線を占有して行われる。また、通信ネットワーク７１０は、ノードｐ７１１、ノードｑ７１２、ノードｒ７１３、ノードｓ７１４、ノードｔ７１５、及びノードｕ７１６から構成されている。これらのノードは、例えば従来の第３世代ネットワークにおける交換機である。第３世代ネットワークとは、ＩＴＵ（国際電気通信連合）によって定められた「ＩＭＴ−２０００」標準に準拠したデジタル携帯電話が通信を行うネットワークである。ここで、例えばノードｒ７１３とノードｓ７１４との間でネットワーク障害が発生した場合、移動通信端末Ａ７０１と移動通信端末Ｂ７０２との間の通話が占有していた回線は、ネットワーク障害の発生を契機として切断されて呼損となる。また、通信ネットワーク７１０では非課金処理が実行される。
【０００５】
次に、図８を用いて、従来の非課金処理における処理の流れを説明する。まず、移動通信端末Ａ７０１は、発信側ＩＭＳ−ＧＷ（IP Multimedia Subsystem Gateway）８１１、
発信側ＣＳＣＦ（Call/Session Control Function）８１２、及び発信側ＳＩＰ−ＡＳ（Session Initiation Protocol Application Server）８１３を介して、着信側の移動通信
端末（図示しない）に対して発信し、通話を開始する。その後、この通話中にネットワーク障害が発生したとすると（Ｓ８０１）、発信側ＩＭＳ−ＧＷ８１１は、ＲＴＣＰの無通信監視機能によってＵ−Ｐｌａｎｅ障害を検出する（Ｓ８０２）。
【０００６】
Ｕ−Ｐｌａｎｅ障害を検出した発信側ＩＭＳ−ＧＷ８１１は、自身内部のＣ−ＰｌａｎｅにＵ−Ｐｌａｎｅ障害の検出を通知する（Ｓ８０３）。その後、ＲＴＣＰの無通信監視機能は、移動通信端末Ａ７０１に対して切断信号ＤＩＳＣＯＮＮＥＣＴを送信し、非課金切断とする（Ｓ８０４）。これにより、移動通信端末Ａ７０１の通話は呼損となる。
【先行技術文献】
【特許文献】
【０００７】
【特許文献１】特開平８−８９６９号公報
【発明の概要】
【発明が解決しようとする課題】
【０００８】
しかしながら、一時的なネットワークの輻輳等の理由によりネットワーク障害が発生し、非課金処理によって通話確立中の呼が切断されてしまった場合、一般的に、移動通信端末のユーザは再発呼をする可能性が高い。これにより、一時的なトラフィックの上昇を招き、ネットワーク負荷が増大したり、ネットワーク上の各装置のＣＰＵ（Central Processing Unit）使用率が大幅に増加したりすることによって、ネットワークがダウンすると
いう深刻な状況を引き起こす恐れがあった。
そこで本発明は、上記問題点を解決し、ネットワークダウンを防止した安定運用を可能とするゲートウェイ装置、非課金処理システム、及び非課金処理方法の実現を目的とする。
【課題を解決するための手段】
【０００９】
上記課題を解決するために、本発明は、ユーザ端末間において音声データを制御するユーザ情報制御手段と、ユーザ端末間の呼接続の確立や切断を行う制御信号を転送する制御情報管理手段と、を有するゲートウェイ装置であって、前記ユーザ情報制御手段は、前記通信ネットワークにおける通信障害を検出して前記制御情報管理手段に通知し、前記制御情報管理手段は、前記障害通知手段による通知に応じて、非課金処理を実行することを示す非課金信号を送信することを特徴とするゲートウェイ装置を提案する。
【００１０】
この構成により、ネットワーク障害が発生した場合、通話確立されている呼の切断を行うことなく非課金処理を実行することができる。これにより、移動通信端末のユーザの再発呼によるネットワークダウン等を引き起こす恐れがなく、安定したネットワーク運用しつつ、非課金処理を実行することが可能である。
また、前記ユーザ情報制御手段は、さらに、前記通信障害が解消されたことを検出して前記制御情報管理手段に通知し、前記制御情報管理手段は、さらに、前記障害回復通知手段による通知に応じて、課金処理を開始することを示す課金信号を送信するようになっていてもよい。
【００１１】
この構成によれば、例えば、課金のための明細情報を生成する外部の装置は非課金処理の実行後に障害回復通知を受けることにより、ネットワークが障害から回復した場合には課金処理を開始することができる。
また、前記課金信号は、課金時間をリセットするための課金時間リセット信号であってもよい。
この構成によれば、例えば、課金のための明細情報を生成する外部の装置が、課金時間リセット信号をゲートウェイ装置から受信した場合には、ネットワーク通信が正常化したことを知り課金処理を開始することができる。
【００１２】
また、本発明は、ユーザ端末間において音声データを制御するユーザ情報制御手段と、ユーザ端末間の呼接続の確立や切断を行う制御信号を転送する制御情報管理手段と、を有するゲートウェイ装置と、前記通信ネットワークにおける通信に対する課金に関する処理を行うサービス提供装置と、からなる非課金処理システムであって、前記ゲートウェイ装置の前記ユーザ情報制御手段は、前記通信ネットワークにおける通信障害を検出して前記制御情報管理手段に通知し、前記ゲートウェイ装置の前記制御情報管理手段は、前記障害通知手段による通知に応じて、非課金処理を実行することを示す非課金信号を送信し、前記サービス提供装置は、前記ゲートウェイ装置から送信される非課金信号に基づいて、非
課金処理を実行することを特徴とする非課金処理システムを提案する。
【００１３】
この構成により、ネットワーク障害が発生した場合、通話確立されている呼の切断を行うことなく非課金処理を実行することができる。これにより、移動通信端末のユーザの再発呼によるネットワークダウン等を引き起こす恐れがなく、安定したネットワーク運用しつつ、非課金処理を実行することが可能である。
ここで、サービス提供装置が行う「課金に関する処理」とは、課金をするために必要な処理全般を広く指す趣旨であり、課金処理そのものだけでなく、例えば課金するための明細情報を生成する処理や、課金処理を開始するためのトリガーを引くだけの処理等も含む意味である。
【００１４】
また、本発明は、ユーザ端末間において音声データを制御するユーザ情報制御手段と、ユーザ端末間の呼接続の確立や切断を行う制御信号を転送する制御情報管理手段と、を有するゲートウェイ装置により実行される非課金処理方法であって、前記ユーザ情報制御手段において、前記通信ネットワークにおける通信障害を検出して前記制御情報管理手段に通知する障害通知ステップと、前記制御情報管理手段において、前記障害通知ステップによる通知に応じて、非課金処理を実行することを示す非課金信号を送信する非課金信号送信ステップと、を有する非課金処理方法を提案する。
この構成により、ネットワーク障害が発生した場合、通話確立されている呼の切断を行うことなく非課金処理を実行することができる。これにより、移動通信端末のユーザの再発呼によるネットワークダウン等を引き起こす恐れがなく、安定したネットワーク運用しつつ、非課金処理を実行することが可能である。
【発明の効果】
【００１５】
以上説明したように、本発明によれば、通信ネットワークにおいてネットワーク障害が発生した場合、通話確立されている呼の切断を行うことなく非課金処理を実行することができる。これにより、通信端末のユーザの再発呼によるネットワークダウン等を引き起こす恐れがなく、安定したネットワーク運用しつつ、非課金処理を実行することが可能である。
【図面の簡単な説明】
【００１６】
【図１】本発明に係る非課金処理システム全体の構成を示す図である。
【図２】実施の形態に係る非課金処理システムの構成例を示す図である。
【図３】Ｃ−Ｐｌａｎｅ１２０ａ等及びＵ−Ｐｌａｎｅ１３０ａ等の機能ブロック図である。
【図４】ＩＭＳ−ＧＷ１１１及び１１５の構成例を示すブロック図である。
【図５】実施の形態に係る非課金処理システムの処理の流れを示すシーケンス図である。
【図６】実施の形態に係る非課金処理システムの処理の流れを示すシーケンス図である。
【図７】従来の非課金処理について説明する図である。
【図８】従来の非課金処理における処理の流れを示すシーケンス図である。
【発明を実施するための形態】
【００１７】
以下、本発明の実施の形態について図面を参照しながら説明する。
（非課金処理システムの構成）
本実施形態に係る非課金処理システムは、ＩＭＳ技術を利用した通信ネットワークにおける非課金処理システムを想定している。図１は、本実施形態に係る非課金処理システム全体の構成を示す図である。移動通信端末１０１は携帯電話網などのアクセスネットワーク１４０を介してＩＭＳ−ＧＷ１１１に接続することで、ＩＭＳ（IP Multimedia Subsys
tem）ネットワーク１５０にアクセスする。また、ＩＭＳネットワーク１５０は、主に、
Ｐ−ＣＳＣＦ（Proxy CSCF）１１２ａ、Ｉ−ＣＳＣＦ（Interrogating CSCF）１１２ｂ、Ｓ−ＣＳＣＦ（Serving CSCF）１１２ｃ、ＳＩＰ−ＡＳ１１３から構成される。
【００１８】
Ｐ−ＣＳＣＦ１１２ａは、移動通信端末Ｍ１０１の登録時に割り当てられる。また、移動通信端末Ｍ１０１を認証後、暗号化してパケットのやり取りをするための通信路を確立したり、ＳＩＰ（Session Initiation Protocol）メッセージを効率良く転送するために
圧縮する等の機能を有する。Ｉ−ＣＳＣＦ１１２ｂは、移動通信端末Ｍ１０１のユーザ情報を保持しているＨＳＳ（Home Subscribre Server）を特定したり、ＳＩＰメッセージを適切なＳ−ＣＳＣＦ１１２ｃに転送する等の機能を有する。Ｓ−ＣＳＣＦ１１２ｃは、ＨＳＳから移動通信端末Ｍ１０１のユーザ情報を取得して保持したり、セッション制御等を行う機能を有するＳＩＰサーバである。なお、本明細書中では、Ｐ−ＣＳＣＦ１１２ａ、Ｉ−ＣＳＣＦ１１２ｂ、及びＳ−ＣＳＣＦ１１２ｃを包括して「ＣＳＣＦ１１２」として説明する。また、ＩＭＳ−ＧＷ１１１及びＳＩＰ−ＡＳ１１３の機能については、後に詳述する。
【００１９】
次に、本実施形態に係る非課金処理システムの構成について、図２を用いて詳細に説明する。図２は、本実施形態に係る非課金処理システムの構成例を示す図である。
図２に示される非課金処理システムは、移動通信端末Ｍ１０１と、ＩＭＳ−ＧＷ１１１及び１１５と、ＣＳＣＦ１１２及び１１４と、ＳＩＰ−ＡＳ１１３と、移動通信端末Ｎ１０２と、から構成される。以下、各装置について詳述する。
【００２０】
（移動通信端末の構成）
移動通信端末Ｍ１０１及び移動通信端末Ｎ１０２は、可搬型の端末装置であり、具体的には携帯電話機等が該当する。また、図２においては移動通信端末Ｍ１０１から移動通信端末Ｎ１０２に対して発信する場合を想定している。移動通信端末Ｍ１０１はＩＭＳ−ＧＷ１１１に接続することで発信を行い、移動通信端末Ｎ１０２はＩＭＳ−ＧＷ１１５を介して着信を受ける。
【００２１】
（ＩＭＳ−ＧＷの構成）
ＩＭＳ−ＧＷ１１１及び１１５は、ゲートウェイ装置であり、それぞれ、移動通信端末Ｍ１０１及び移動通信端末Ｎ１０２からアクセスネットワーク１４０（図２においては省略）を介して接続される。ＩＭＳ−ＧＷ１１１及び１１５は、一般的なゲートウェイ装置の構成の他に、Ｃ−Ｐｌａｎｅ及びＵ−Ｐｌａｎｅを有する。ＩＭＳ−ＧＷ１１１のＣ−Ｐｌａｎｅ１２０ａは、発信側ＣＳＣＦ１１２のＣ−Ｐｌａｎｅ１２０ｂとの間で制御信号のやり取りを行う。また、ＩＭＳ−ＧＷ１１５のＣ−Ｐｌａｎｅ１２０ｅは、着信側ＣＳＣＦ１１４のＣ−Ｐｌａｎｅ１２０ｄとの間で制御信号のやり取りを行う。
【００２２】
ここで、図３（ａ）に、ＩＭＳ−ＧＷ１１１及び１１５のＣ−ＰｌａｎｅとＵ−Ｐｌａｎｅの構成例を示す。
Ｃ−Ｐｌａｎｅ１２０ａ及び１２０ｅは、Ｕ−Ｐｌａｎｅ障害通知信号取得部１２０１と、非課金処理信号送信部１２０２と、Ｕ−Ｐｌａｎｅ障害回復信号取得部１２０３と、課金時間リセット信号送信部１２０４と、端末切断信号取得部１２０５と、端末−ネットワーク間切断信号送信部１２０６と、端末−ネットワーク間切断信号取得部１２０７と、を有する。
また、Ｕ−Ｐｌａｎｅ１３０ａ及び１３０ｅは、Ｕ−Ｐｌａｎｅ障害検出部１３０１と、Ｕ−Ｐｌａｎｅ障害通知部１３０２と、Ｕ−Ｐｌａｎｅ障害回復検出部１３０３と、Ｕ−Ｐｌａｎｅ障害回復通知部１３０４と、を有する。
なお、以上のＣ−Ｐｌａｎｅ及びＵ−Ｐｌａｎｅの各構成の動作については、後に詳述する。
【００２３】
（ＩＭＳ−ＧＷの具体的な構成）
ここで、ＩＭＳ−ＧＷ１１１及び１１５のより具体的な構成について説明する。図４は、ＩＭＳ−ＧＷ１１１及び１１５の構成例を示すブロック図である。図４に示すように、ＩＭＳ−ＧＷ１１１及び１１５は、ＣＰＵ４０１、不揮発性記憶装置４０２、ＲＡＭ（Random Access Memory）４０３、ネットワークインタフェース４０４、等を備えている。
不揮発性記憶装置４０２には、制御情報管理プログラム４１０及びユーザ情報制御プログラム４２０が保持されている。この制御情報管理プログラム４１０には、図３（ａ）に示したＣ−ＰｌａｎｅにおけるＵ−Ｐｌａｎｅ障害通知信号取得部１２０１等の各構成を実現するためのモジュールが含まれる（図示しない）。また、ユーザ情報制御プログラム４２０には、図３（ａ）に示したＵ−ＰｌａｎｅにおけるＵ−Ｐｌａｎｅ障害検出部１３０１等の各構成を実現するためのモジュールが含まれる（図示しない）。
【００２４】
このような構成において、一般的なコンピュータと同様に、不揮発性記憶装置４０２に記憶されている制御情報管理プログラム４１０及びユーザ情報制御プログラム４２０に含まれる各モジュールが必要に応じてＲＡＭ４０３をワークエリアとして展開され、それらがＣＰＵ４０１にて実行されることで、各種の処理を行う。具体的には、制御情報管理プログラム４１０がＣＰＵ４０１に実行されることにより、Ｃ−Ｐｌａｎｅ１２０ａ等、すなわち、呼接続の確立や切断を行う制御信号を転送する機能が実現される。また、ユーザ情報制御プログラム４２０がＣＰＵ４０１に実行されることにより、Ｕ−Ｐｌａｎｅ１３０ａ等、すなわち、ユーザ端末間において音声データを制御する機能が実現される。なお、図４はＣ−Ｐｌａｎｅ１２０ａ等及びＵ−Ｐｌａｎｅ１３０ａ等の実現方法の一例を示すものであり、必ずしもこのような構成により実現されていなくともよい。例えば、Ｃ−Ｐｌａｎｅ１２０ａ等及びＵ−Ｐｌａｎｅ１３０ａ等の各機能を実現するためのモジュールが１つのプログラムに含まれていてもよいし、複数のモジュールによってＣ−Ｐｌａｎｅ１２０ａ等及びＵ−Ｐｌａｎｅ１３０ａ等の各機能が実現される等となっていてもよい。
また、ネットワークインタフェース４０４は、ＣＳＣＦ１１２及び１１４等と接続するためのインタフェースであり、主に有線の通信インタフェースである。具体的には、光ファイバ等により通信を行うためのインタフェースである。
【００２５】
（ＣＳＣＦの構成）
ＣＳＣＦ１１２及び１１４は、ＩＭＳ上においてセッションの制御を行うＳＩＰサーバであり、セッションの設定やアプリケーションサーバの起動等を行う機能を有する。移動通信端末Ｍ１０１と移動通信端末Ｎ１０２との間でやり取りされるＳＩＰメッセージは、ＳＩＰサーバであるＣＳＣＦ１１２及び１１４を経由する。なお、ＳＩＰはＩＭＳにおいてセッション制御を行うためのプロトコルである。
また、ＣＳＣＦ１１２及び１１４は、Ｃ−Ｐｌａｎｅのみを有する。発信側ＣＳＣＦ１１２はＣ−Ｐｌａｎｅ１２０ｂにおいて、発信側ＩＭＳ−ＧＷ１１１のＣ−Ｐｌａｎｅ１２０ａや、発信側ＳＩＰ−ＡＳ１１３のＣ−Ｐｌａｎｅ１２０ｃと、呼接続に関する制御信号のやり取りを行う。また、着信側ＣＳＣＦ１１４はＣ−Ｐｌａｎｅ１２０ｄにおいて、着信側ＩＭＳ−ＧＷ１１５のＣ−Ｐｌａｎｅ１２０ｅや、発信側ＳＩＰ−ＡＳ１１３のＣ−Ｐｌａｎｅ１２０ｃと、呼接続に関する制御信号のやり取りを行う。
【００２６】
（ＳＩＰ−ＡＳの構成）
ＳＩＰ−ＡＳ１１３は、移動通信端末Ｍ１０１に対して通話時間に応じた課金処理を行うサーバであり、移動通信端末Ｍ１０１の通話時間に応じた課金明細情報を生成する。
また、ＳＩＰ−ＡＳ１１３は、Ｃ−Ｐｌａｎｅのみを有する。ＳＩＰ−ＡＳ１１３は、Ｃ−Ｐｌａｎｅ１２０ｃにおいて、発信側ＣＳＣＦ１１２のＣ−Ｐｌａｎｅ１２０ｂや、着信側ＣＳＣＦ１１４のＣ−Ｐｌａｎｅ１２０ｄと、呼接続に関する制御信号のやり取り
を行う。
ここで、図３（ｂ）に、ＳＩＰ−ＡＳ１１３のＣ−Ｐｌａｎｅ１２０ｃの構成例を示す。Ｃ−Ｐｌａｎｅ１２０ｃは、非課金処理信号取得部１２０８と、非課金処理実行部１２０９と、課金時間リセット信号取得部１２１０と、課金処理実行部１２１１と、を有する。なお、各構成の動作については、後に詳述する。
【００２７】
（本システムの動作）
次に、図５及び図６を用いて、本実施形態に係る非課金処理システムの動作について説明する。図５は発信側においてネットワーク障害を検出した場合における非課金処理の動作を示すシーケンス図であり、図６は着信側においてネットワーク障害を検出した場合における非課金処理の動作を示すシーケンス図である。
【００２８】
（発信側における非課金処理の動作）
まず、図５のシーケンス図に示す非課金処理システムの動作について説明する。
移動通信端末Ｍ１０１と移動通信端末Ｎ１０２（図示しない）とが通話中に、Ｕ−Ｐｌａｎｅ区間で通信障害が発生したとする（Ｓ５０１）。この時、発信側ＩＭＳ−ＧＷ１１１のＵ−Ｐｌａｎｅ１３０ａにおいて、ＲＴＣＰの無通信監視制御機能によりＵ−Ｐｌａｎｅ障害検出部１３０１にてＵ−Ｐｌａｎｅ障害が検出される（Ｓ５０２）。また、Ｕ−Ｐｌａｎｅ障害が検出されると、Ｕ−Ｐｌａｎｅ障害通知部１３０２にて、発信側ＩＭＳ−ＧＷ１１１のＣ−Ｐｌａｎｅ１２０ａに対して障害通知信号が送信される（Ｓ５０３）。Ｃ−Ｐｌａｎｅ１２０ａでは、Ｕ−Ｐｌａｎｅ障害通知信号取得部１２０１にて、この障害通知信号が取得される。
【００２９】
Ｃ−Ｐｌａｎｅ１２０ａのＵ−Ｐｌａｎｅ障害通知信号取得部１２０１にて障害通知信号が取得されると、Ｃ−Ｐｌａｎｅ１２０ａの非課金処理信号送信部１２０２から発信側ＣＳＣＦ１１２のＣ−Ｐｌａｎｅ１２０ｂに対して、ＳＩＰに定義されているＢＹＥ信号が送信される（Ｓ５０４）。さらに、ＢＹＥ信号を受信した発信側ＣＳＣＦ１１２から発信側ＳＩＰ−ＡＳ１１３のＣ−Ｐｌａｎｅ１２０ｃに対して、同じＢＹＥ信号が送信される（Ｓ５０５）。
【００３０】
発信側ＳＩＰ−ＡＳ１１３では、非課金処理信号取得部１２０８にてＢＹＥ信号が取得され、非課金処理実行部１２０９にて非課金処理が実行される。具体的には、課金のための明細情報を生成しないこととする。
以上のような非課金処理により、Ｕ−Ｐｌａｎｅ障害が発生した場合であっても、移動通信端末Ｍ１０１において確立されている呼接続を切断せずに非課金処理を行うことができる。
【００３１】
また、Ｕ−Ｐｌａｎｅ障害から回復した場合、発信側ＩＭＳ−ＧＷ１１１のＵ−Ｐｌａｎｅ１３０ａのＵ−Ｐｌａｎｅ障害回復検出部１３０３にて、この回復状態が検出される（Ｓ５０６）。また、回復状態が検出されると、Ｕ−Ｐｌａｎｅ障害回復通知部１３０４にて、発信側ＩＭＳ−ＧＷ１１１のＣ−Ｐｌａｎｅ１２０ａに対して障害回復信号が送信される（Ｓ５０７）。Ｃ−Ｐｌａｎｅ１２０ａでは、Ｕ−Ｐｌａｎｅ障害回復信号取得部１２０３にて、この障害回復信号が取得される。
【００３２】
Ｃ−Ｐｌａｎｅ１２０ａのＵ−Ｐｌａｎｅ障害回復信号取得部１２０３にて障害回復信号が取得されると、Ｃ−Ｐｌａｎｅ１２０ａの課金時間リセット信号送信部１２０４から発信側ＳＩＰ−ＡＳ１１３のＣ−Ｐｌａｎｅ１２０ｃに対して課金時間リセット信号が送信される（Ｓ５０８）。
発信側ＳＩＰ−ＡＳ１１３では、課金時間リセット信号取得部１２１０にて課金時間リセット信号が取得され、課金処理実行部１２１１にて課金が開始される。
【００３３】
また、移動通信端末Ｍ１０１にて、ユーザが通話終了時に「切」ボタン等を押下すると、移動通信端末Ｍ１０１から発信側ＩＭＳ−ＧＷ１１１のＣ−Ｐｌａｎｅ１２０ａに対して切断信号であるＤＩＳＣＯＮＮＥＣＴ信号が送信される（Ｓ５０９）。また、発信側ＩＭＳ−ＧＷ１１１のＣ−Ｐｌａｎｅ１２０ａから発信側ＳＩＰ−ＡＳ１１３のＣ−Ｐｌａｎｅ１２０ｃに対してＢＹＥ信号が送信される（Ｓ５１０）。これにより、発信側ＳＩＰ−ＡＳ１１３では通話終了までの通話時間に応じた課金処理が行われる。
【００３４】
（着信側における非課金処理の動作）
次に、図６のシーケンス図に示す非課金処理システムの動作について説明する。
移動通信端末Ｍ１０１（図示しない）と移動通信端末Ｎ１０２とが通話中に、Ｕ−Ｐｌａｎｅ区間で通信障害が発生したとする（Ｓ６０１）。この時、着信側ＩＭＳ−ＧＷ１１５のＵ−Ｐｌａｎｅ１３０ｅにおいて、ＲＴＣＰの無通信監視制御機能によりＵ−Ｐｌａｎｅ障害検出部１３０１にてＵ−Ｐｌａｎｅ障害が検出される（Ｓ６０２）。また、Ｕ−Ｐｌａｎｅ障害が検出されると、Ｕ−Ｐｌａｎｅ障害通知部１３０２にて、着信側ＩＭＳ−ＧＷ１１５のＣ−Ｐｌａｎｅ１２０ｅに対して障害通知信号が送信される（Ｓ６０３）。Ｃ−Ｐｌａｎｅ１２０ｅでは、Ｕ−Ｐｌａｎｅ障害通知信号取得部１２０１にて、この障害通知信号が取得される。
【００３５】
Ｃ−Ｐｌａｎｅ１２０ｅのＵ−Ｐｌａｎｅ障害通知信号取得部１２０１にて障害通知信号が取得されると、Ｃ−Ｐｌａｎｅ１２０ｅの非課金処理信号送信部１２０２から着信側ＣＳＣＦ１１４のＣ−Ｐｌａｎｅ１２０ｄに対して、ＳＩＰに定義されているＢＹＥ信号が送信される（Ｓ６０４）。さらに、ＢＹＥ信号を受信した発信側ＣＳＣＦ１１４から発信側ＳＩＰ−ＡＳ１１３のＣ−Ｐｌａｎｅ１２０ｃに対して、同じＢＹＥ信号が送信される（Ｓ６０５）。
【００３６】
発信側ＳＩＰ−ＡＳ１１３では、非課金処理信号取得部１２０８にてＢＹＥ信号が取得され、非課金処理実行部１２０９にて非課金処理が実行される。具体的には、課金のための明細情報を生成しないこととする。
以上のような非課金処理により、Ｕ−Ｐｌａｎｅ障害が発生した場合であっても、移動通信端末Ｎ１０１において確立されている呼接続を切断せずに非課金処理を行うことができる。
【００３７】
また、Ｕ−Ｐｌａｎｅ障害から回復した場合には、着信側ＩＭＳ−ＧＷ１１５のＵ−Ｐｌａｎｅ１３０ｅのＵ−Ｐｌａｎｅ障害回復検出部１３０３にて、この回復状態が検出される（Ｓ６０６）。また、回復状態が検出されると、Ｕ−Ｐｌａｎｅ障害回復通知部１３０４にて、着信側ＩＭＳ−ＧＷ１１５のＣ−Ｐｌａｎｅ１２０ｅに対して障害回復信号が送信される（Ｓ６０７）。Ｃ−Ｐｌａｎｅ１２０ｅでは、Ｕ−Ｐｌａｎｅ障害回復信号取得部１２０３にて、この障害回復信号が取得される。
【００３８】
Ｃ−Ｐｌａｎｅ１２０ｅのＵ−Ｐｌａｎｅ障害回復信号取得部１２０３にて障害回復信号が取得されると、Ｃ−Ｐｌａｎｅ１２０ｅの課金時間リセット信号送信部１２０４から発信側ＳＩＰ−ＡＳ１１３のＣ−Ｐｌａｎｅ１２０ｃに対して課金時間リセット信号が送信される（Ｓ６０８）。
発信側ＳＩＰ−ＡＳ１１３では、課金時間リセット信号取得部１２１０にて課金時間リセット信号が取得され、課金処理実行部１２１１にて課金が開始される。
【００３９】
また、移動通信端末Ｎ１０２にて、ユーザが通話終了時に「切」ボタン等を押下すると、移動通信端末Ｎ１０２から着信側ＩＭＳ−ＧＷ１１５のＣ−Ｐｌａｎｅ１２０ｅに対して切断信号であるＤＩＳＣＯＮＮＥＣＴ信号が送信される（Ｓ６０９）。また、着信側Ｉ
ＭＳ−ＧＷ１１５のＣ−Ｐｌａｎｅ１２０ｅから発信側ＳＩＰ−ＡＳ１１３のＣ−Ｐｌａｎｅ１２０ｃに対してＢＹＥ信号が送信される（Ｓ６１０）。これにより、発信側ＳＩＰ−ＡＳ１１３では通話終了までの通話時間に応じた課金処理が行われる。
【００４０】
なお、本実施形態において、発信側ＩＭＳ−ＧＷ１１１及び着信側ＩＭＳ−ＧＷ１１５は、本発明における「ゲートウェイ装置」に対応する。また、発信側ＳＩＰ−ＡＳ１１３は、本発明における「サービス提供装置」に対応する。
また、本実施形態において、Ｕ−Ｐｌａｎｅは、本発明における「ユーザ情報制御手段」に対応する。また、Ｃ−Ｐｌａｎｅは、本発明における「制御情報管理手段」に対応する。
【００４１】
また、本実施形態において、図５のステップＳ５０４及び図６のステップＳ６０４におけるＢＹＥ信号は、本発明における「非課金信号」に対応する。また、図５のステップＳ５０８及び図６のステップＳ６０８における課金時間リセット信号は、本発明における「課金信号」に対応する。
また、本実施形態において、図５のステップＳ５０２及びＳ５０３、並びに、図６のステップＳ６０２及びＳ６０３は、本発明における「障害通知ステップ」に対応する。また、図５のステップＳ５０４、及び、図６のステップＳ６０４は、本発明における「非課金信号送信ステップ」に対応する。
【００４２】
（他の実施の形態）
また、上記の実施形態においては、ＩＭＳに接続する装置が移動通信端末である場合を想定して説明したが、ＩＭＳに接続可能な端末であれば何でもよい。例えば、パーソナルコンピュータ、ＰＤＡ（Personal Digital Assistants）等であってもよい。
（まとめ）
以上説明したように、本発明によれば、通信ネットワークにおいてネットワーク障害が発生した場合、通話確立されている呼の切断を行うことなく非課金処理を実行する。これにより、通信端末のユーザの再発呼によるネットワークダウン等を引き起こす恐れがなく、安定したネットワーク運用しつつ、非課金処理を実行することが可能である。
【符号の説明】
【００４３】
１０１  移動通信端末Ｍ
１０２  移動通信端末Ｎ
１１１  発信側ＩＭＳ−ＧＷ
１１２  発信側ＣＳＣＦ
１１２ａ  Ｐ−ＣＳＣＦ
１１２ｂ  Ｉ−ＣＳＣＦ
１１２ｃ  Ｓ−ＣＳＣＦ
１１３  発信側ＳＩＰ−ＡＳ
１１４  着信側ＣＳＣＦ
１１５  着信側ＩＭＳ−ＧＷ
１２０ａ、１２０ｂ、１２０ｃ、１２０ｄ、１２０ｅ  Ｃ−Ｐｌａｎｅ
１３０ａ、１３０ｅ  Ｕ−Ｐｌａｎｅ
１４０  アクセスネットワーク
１５０  ＩＭＳネットワーク
４０１  ＣＰＵ
４０２  不揮発性記憶装置
４０３  ＲＡＭ
４０４  ネットワークインタフェース
４１０  制御情報管理プログラム
４２０  ユーザ情報制御プログラム
１２０１  障害通知信号取得部
１２０２  非課金処理信号送信部
１２０３  障害回復信号取得部
１２０４  課金時間リセット信号送信部
１２０５  端末切断信号取得部
１２０６  端末−ネットワーク間切断信号送信部
１２０７  端末−ネットワーク間切断信号取得部
１２０８  非課金処理信号取得部
１２０９  非課金処理実行部
１２１０  課金時間リセット信号取得部
１２１１  課金処理実行部
１３０１  障害検出部
１３０２  障害通知部
１３０３  障害回復検出部
１３０４  障害回復通知部
【図１】
2010245941.tif 000003
【図２】
2010245941.tif 000004
【図３】
2010245941.tif 000005
【図４】
2010245941.tif 000006
【図５】
2010245941.tif 000007
【図６】
2010245941.tif 000008
【図７】
2010245941.tif 000009
【図８】
2010245941.tif 000010